(57)【要約】【課題】低コストで生産性に優れ、器具本体に容易に装着するとともに、回路装置を固定する。【解決手段】箱状の器具本体とこの器具本体に取り付けられる放電灯とを備える照明器具に設けられて放電灯を制御する照明装置であって、器具本体内の両側面に一の両端部が沿うように器具本体内の底面上に載置される回路基板６００及び器具本体内の両側面から離隔するように回路基板６００内に実装される実装部品６０１とにより構成される安定器（回路装置）６０と、回路基板６００と器具本体の底面との間に介設するとともに器具本体の両側面と安定器６０との間に介設して安定器６０を包み囲む絶縁カバー６１とを備え、絶縁カバー６１は、器具本体の両側面間の方向において、上面部６１ｂの寸法が、底面部６１ａの寸法より短い。【選択図】図１
2005183322.tif 000002
【特許請求の範囲】
【請求項１】
箱状の器具本体とこの器具本体に取り付けられる放電灯とを含む照明器具に備えられ前記放電灯を制御する照明装置であって、
前記器具本体の両側面に一の両端部が沿うように前記器具本体内の底面上に載置される回路基板及び前記器具本体内の両側面から離隔するように前記回路基板内に実装される実装部品とにより構成される回路装置と、
前記回路基板と前記器具本体の底面との間に介設するとともに前記器具本体の両側面と前記回路装置との間に介設して前記回路装置を包み囲む絶縁カバーとを備え、
前記絶縁カバーは、前記器具本体の両側面間の方向において、前記回路装置を覆う部分の寸法が、前記回路基板と対応して設定される部分の寸法より短いことを特徴とする照明装置。
【請求項２】
前記絶縁カバーは、前記回路基板の他の両端部間に、前記実装部品を覆う部分から前記回路装置の凹所に切り起こし前記実装部品と近接する切り起こし部を複数備えることを特徴とする請求項１記載の照明装置。
【請求項３】
前記絶縁カバーは、前記実装部品を覆う部分であり前記回路基板の一の両端部の一方から、前記回路装置の凹所に切り起こし前記実装部品と近接する切り起こし部を備えることを特徴とする請求項１記載の照明装置。
【発明の詳細な説明】
【技術分野】
【０００１】
本発明は、例えば、放電灯などの照明器具に内蔵される照明装置に関するものである。
【背景技術】
【０００２】
従来、この種の照明装置は、種々提案されまた市販されている。照明装置（図２「６」参照）は、図２に示すように、照明器具１の形状に合わせて内蔵されている。照明器具１は、器具本体２の上側に器具蓋３及び一対のランプソケット４が取り付けられ、そのランプソケット４に放電灯５が装着される。
【０００３】
照明装置（図２「６」参照）は、ランプ線４０を介して各ランプソケット４と接続し、放電灯５に電力を供給し点灯させる。また、照明装置（図２「６」参照）は、安定器（回路装置）６０と器具本体２との絶縁のために絶縁カバー（図２「６１」参照）を備えている。
【０００４】
図５（ａ）は、従来の絶縁カバー７０の一例であって、組立前の斜視図である。この絶縁カバー７０は、図５（ｂ）に示すように、安定器６０を内部に包むようにして囲み、固定テープ６２を貼り付けることで組み立てられる。上記絶縁カバー７０は低コストで作製することができる。
【０００５】
また、図６は、他の従来の絶縁カバー７１である。この絶縁カバー７１は、上カバー７１０と下カバー７１１により構成され、上カバー７１０及び下カバー７１１のそれぞれの形状は曲げ部分が直角のコ型である。この絶縁カバー７１の組立工程について説明する。先ず、図７（ａ）に示すように、下カバー７１１の内部に安定器６０を載置し、下カバー７１１の開口部から安定器６０が外に出ないように固定テープ６２で塞ぐ。次に、図７（ｂ）に示すように、安定器６０の上面を上カバー７１０で覆い、上カバー７１０と下カバー７１１とを固定テープ６２で固定する。また、上記絶縁カバー７１により、安定器６０を固定することができる。
【０００６】
なお、特許文献１には、コネクタを絶縁カバーで覆い、コネクタと、安定器などが内蔵する他の領域とを遮蔽する安定器アセンブリが開示されている。
【特許文献１】特表２００３−５３０６８７号公報（第７頁−第９頁，第１図）
【発明の開示】
【発明が解決しようとする課題】
【０００７】
しかしながら、上記従来の照明装置などは、以下の問題があった。絶縁カバー７０は、自己の生産性を上げるため、及び、容易に組立てるために、組立後は、図５（ｃ）に示すように、完全なロ型ではなく、開口部が大きくなり各側面において膨らみを持つ。そのため、絶縁カバー７０断面の実寸法が安定器（回路装置）６０内の回路基板６００の寸法に対して大きくなるので、器具本体２（図２参照）への装着が困難となる。
【０００８】
また、絶縁カバー７１は、図６に示すように、上下のカバー７１０，７１１が必要であるので、コストが上がるとともに、下カバー７１１と安定器６０との固定、及び、上カバー７１０と下カバー７１１との固定が必要となるので、作業工程も増加する。
【０００９】
本発明は上述の点に鑑みて為されたものであり、その目的とするところは、低コストで加工性のよい絶縁カバーを提供するとともに、そのカバー構造で容易に回路装置を固定することができるものを提供することにある。
【課題を解決するための手段】
【００１０】
請求項１に記載の発明は、箱状の器具本体とこの器具本体に取り付けられる放電灯とを含む照明器具に備えられ前記放電灯を制御する照明装置であって、前記器具本体内の両側面に一の両端部が沿うように前記器具本体内の底面上に載置される回路基板及び前記器具本体内の両側面から離隔するように前記回路基板内に実装される実装部品とにより構成される回路装置と、前記回路基板と前記器具本体の底面との間に介設するとともに前記器具本体の両側面と前記回路装置との間に介設して前記回路装置を包み囲む絶縁カバーとを備え、前記絶縁カバーは、前記器具本体の両側面間の方向において、前記回路装置を覆う部分の寸法が、前記回路基板と対応して設定される部分の寸法より短いことを特徴とする。
【００１１】
この構成では、実装部品側の幅寸法が短い絶縁カバーにより回路装置を囲むので、照明装置を器具本体に容易に挿入することができ、低コストで生産性に優れている。また、回路基板が絶縁カバーに接触し摩擦力が作用するので、回路装置を固定することができ耐振動に強い照明装置を供給することができる。
【００１２】
請求項２に記載の発明は、請求項１に記載の発明において、前記絶縁カバーは、前記回路基板の他の両端部間に、前記実装部品を覆う部分から前記回路装置の凹所に切り起こし前記実装部品と近接する切り起こし部を複数備えることを特徴とする。この構成では、切り起こし部が実装部品と近接して備えられるので、回路装置を容易かつ強固に固定することができる。
【００１３】
請求項３に記載の発明は、請求項１に記載の発明において、前記絶縁カバーは、前記実装部品を覆う部分であり前記回路基板の一の両端部の一方から、前記回路装置の凹所に切り起こし前記実装部品と近接する切り起こし部を備えることを特徴とする。この構成では、実装部品間に実装部品と近接して備えられる切り起こし部は他の両端部方向に変形しないので、回路装置をさらに正確かつ強固に固定することができる。
【発明の効果】
【００１４】
本発明によれば、低コストで生産性に優れ、器具本体に容易に装着することができるとともに、回路装置を固定することができる。
【発明を実施するための最良の形態】
【００１５】
（実施形態１）
先ず、実施形態１の基本的な構成について説明する。照明器具１は、図２に示すように、器具本体２、器具蓋３、一対のランプソケット４、放電灯５、照明装置６を備える。実施形態１では、図１（ａ）及び図２において、左下から右上方向を長手方向とし、右下から左上方向を短手方向とする。
【００１６】
器具本体２は、図２に示すように、放電灯５の形状に合わせ長手方向に細長い箱状であり、上側中央部に開口部を有する。器具本体２は、照明装置６を内蔵し、その後、上側を器具蓋３により塞ぐ。
【００１７】
一対のランプソケット４は、器具本体２の上側において長手方向の両端部に備えられ、放電灯５の電極端子と係合する。また、ランプ線４０を介して後述の安定器６０と接続している。
【００１８】
放電灯５は、例えば直管ランプなどが用いられ、ランプソケット４により器具本体２上に取り付けられ、後述の安定器６０と電気的に接続し電力が供給されると点灯する。
【００１９】
照明装置６は、長手方向に長い直方体状をなし、安定器（回路装置）６０と絶縁カバー６１を備える。
【００２０】
安定器６０は、ランプ線４０及びランプソケット４を介して放電灯５に電力を供給するものである。安定器６０は、図１（ｂ）に示すように長手方向から見て、プリント基板などの回路基板６００上に複数の実装部品６０１を、回路基板６００の幅寸法より実装部品６０１の幅寸法が短くなるように装着して構成する。
【００２１】
絶縁カバー６１は、図２に示すように、例えばプラスティック製や紙製のフィルムなどであり、安定器６０を包み囲むようにして、器具本体２に載置時に、安定器６０と器具本体２との間に位置するように設けられ、安定器６０と器具本体２との間を絶縁する。絶縁カバー６１は、図１（ａ）に示すように、底面部６１ａ、上面部６１ｂ、側面部６１ｃ，６１ｄ及び補助部６１ｅ，６１ｆから構成される。
【００２２】
底面部６１ａは、短手方向の寸法Ｗ１を回路基板６００の寸法と略同等の長さにし、安定器６０と器具本体２（図２参照）の底面部との間を絶縁する。また、図１（ｂ）に示すように、組立後に、底面部６１ａは回路基板６００と接触するので、上記の接触個所では、底面部６１ａが適度に回路基板６００を圧迫しそれにより底面部６１ａと回路基板６００との間に摩擦力が発生する。
【００２３】
上面部６１ｂは、実装部品６０１の上面を覆うものであり、実装部品６０１と器具本体２（図２参照）の上面部又は器具蓋３（図２参照）との間を絶縁する。また、短手方向において、上面部６１ｂの寸法Ｗ２は底面部６１ａの寸法Ｗ１よりも短く（Ｗ１＞Ｗ２）、長手方向から見た断面は台形状となる。これにより、組立後の絶縁カバー６１において、側面部６１ｃ，６１ｄが短手方向に膨らんだとしても器具本体の寸法を大きく超えることはないので、この照明装置６を器具本体２（図２参照）内部に容易に載置することができる。
【００２４】
側面部６１ｃは、長手方向の両端部の一方で底面部６１ａと連設し、他方で上面部６１ｂと連接して設けられる。側面部６１ｄは、長手方向の一端部において底面部６１ａと連接して設けられ、安定器６０を包み囲んだ後に、他端部において上面部６１ｂと例えばテープ（図示せず）などを用いて接合する。組立後において、側面部６１ｃ，６１ｄの一部が回路基板６００及び実装部品６０１と接触するので、上記の接触個所では、側面部６１ｃ，６１ｄが適度に回路基板６００及び実装部品６０１を圧迫しそれにより側面部６１ｃ，６１ｄと回路基板６００及び実装部品６０１との間に摩擦力が発生する。器具本体２（図２参照）に載置すると、側面部６１ｃは器具本体２の一方の側面部（図２の奥側）と安定器６０との間を絶縁し、側面部６１ｄは器具本体２の他方の側面部（図２の手前側）と安定器６０との間を絶縁する。
【００２５】
補助部６１ｅ，６１ｆは、図１（ａ）に示すように、それぞれ底面部６１ａの短手方向の両端部と連接して設けられる。補助部６１ｅ，６１ｆは、組立後の高さが側面部６１ｃ，６１ｄより低いので、絶縁カバー６１の短手方向の両端部には開口部を有し、その開口部から外部のランプ線４０と接続する。また、安定器６０が摩擦力に逆らって長手方向に移動した場合でも、補助部６１ｅ，６１ｆにより、安定器６０が絶縁カバー６１から外側に出ることを防止する。
【００２６】
次に、実施形態１の絶縁カバー６１の組立工程について説明する。図１（ａ）に示す組立前の絶縁カバー６１に、安定器６０を載置し、安定器６０を包み囲むように上面部６１ｂ、側面部６１ｃ，６１ｄ及び補助部６１ｅ，６１ｆを折り曲げる。そして、上面部６１ｂと側面部６１ｄとをテープ（図示せず）で接合する。図１（ｂ）は組立後の絶縁カバー６１である（図１（ｂ）は補助部６１ｅ，６１ｆは図示せず）。
【００２７】
以上、実施形態１によれば、短手方向において上面部６１ｂの寸法が底面部６１ａの寸法より短い絶縁カバー６１により安定器６０が包み囲まれるので、低コストであり作業工程を増加させずに、照明装置６を器具本体２に容易に挿入することができ、生産性に優れている。また、絶縁カバー６１が安定器６０と接触し摩擦力が働くので、安定器６０を固定することができ耐振動に強い照明装置６を供給することができる。
【００２８】
（実施形態２）
実施形態２は、照明器具１が、器具本体２、器具蓋３、ランプソケット４、放電灯５を備えるとともに、安定器６０及び絶縁カバー６１を含む照明装置６を備える点で実施形態１と同様であるが、実施形態１にはなく、図３（ａ）に示すような特徴部分がある。図３（ａ）において、左下から右上方向を長手方向とし、右下から左上方向を短手方向とする。絶縁カバー６１が、上面に重ね代６１ｇを設け、その重ね代６１ｇの２個所の部分をそれぞれ長手方向に対して反対方向に折り曲げて内側に切り起こし部６１０ａ，６１０ｂを設ける。その切り起こし部６１０ａ，６１０ｂは、図３（ｃ）に示すように、実装部品６０１と近接している。図３（ｂ）は断面図である。通常は絶縁カバー６１の組立前に、載置される安定器６０の構成が明らかであるので、組立前に切り起こし部６１０ａ，６１０ｂを設けておくことができる。
【００２９】
次に、切り起こし部６１０ａ，６１０ｂの動作について説明する。輸送時などで長手方向に振動があり、安定器６０に図３（ｃ）において右方向の力が働くと、実装部品６０１は、切り起こし部６１０ａと接触し、切り起こし部６１０ａから左方向の力を受けるので、安定器６０の右方向への移動が止まり、安定器６０が絶縁カバー６１の外側（右側）へ飛び出すことを防ぐ。安定器６０に左方向の力が働くと、実装部品６０１は、切り起こし部６１０ｂと接触し、切り起こし部６１０ｂから右方向の力を受けるので、安定器６０の左方向への移動が止まり、安定器６０が絶縁カバー６１の外側（左側）へ飛び出すことを防ぐ。
【００３０】
以上、実施形態２によれば、切り起こし部６１０ａ，６１０ｂが実装部品６０１と近接して備えられるので、安定器６０を容易かつ強固に固定することができる。
【００３１】
（実施形態３）
実施形態３は、照明器具１が、器具本体２、器具蓋３、ランプソケット４、放電灯５を備えるとともに、安定器６０及び絶縁カバー６１を含む照明装置６を備える点で実施形態１と同様であるが、実施形態１にはなく、図４（ａ）に示すような特徴部分がある。図４（ａ）において、左下から右上方向を長手方向とし、右下から左上方向を短手方向とする。絶縁カバー６１が、上面に重ね代６１ｇを設け、その重ね代６１ｇの一部を短手方向に折り曲げて内側に切り起こし部６１１を設ける。その切り起こし部６１１は、図４（ｃ）に示すように、実装部品６０１，６０１間に近接して設けられている。切り起こし部６１１は短手方向に折り曲げられるので、長手方向からの力が加わっても変形しにくい。図４（ｂ）は断面図である。通常は絶縁カバー６１の組立前に、載置される安定器６０の構成が明らかであるので、組立前に切り起こし部６１１を設けておくことができる。
【００３２】
次に、切り起こし部６１１の動作について説明する。輸送時などで長手方向に振動があり、安定器６０に図４（ｃ）において右方向の力が働くと、実装部品６０１（図４（ｃ）左側）は、切り起こし部６１１の左側と接触し、切り起こし部６１１から左方向の力を受けるので、安定器６０の右方向への移動を阻止する。安定器６０に左方向の力が働くと、実装部品６０１（図４（ｃ）右側）は、切り起こし部６１１の右側と接触し、切り起こし部６１１から右方向の力を受けるので、安定器６０の左方向への移動を阻止する。
【００３３】
以上、実施形態３によれば、切り起こし部６１１が実装部品６０１間に実装部品６０１と近接して備えられ、長手方向に変形しないので、安定器６０をさらに強固に固定することができる。なお、１個所の切り起こし部６１１で、安定器６０を固定することができるので、切り起こし寸法を小さくすることができ、切り起こし部６１１の加工コストを下げることができる。
【図面の簡単な説明】
【００３４】
【図１】本発明による実施形態１の照明装置の絶縁カバーであって、（ａ）は組立前の斜視図、（ｂ）は組立後の断面図である。
【図２】同上の照明装置を装着する照明器具の分解斜視図である。
【図３】本発明による実施形態２の照明装置の絶縁カバーであって、（ａ）は組立前の斜視図、（ｂ）は組立後の断面図、（ｃ）は組立後の側面図である。
【図４】本発明による実施形態３の照明装置の絶縁カバーであって、（ａ）は組立前の斜視図、（ｂ）は組立後の断面図、（ｃ）は組立後の側面図である。
【図５】従来の照明装置の絶縁カバーであって、（ａ）は組立前の斜視図、（ｂ）は組立後の斜視図、（ｃ）は組立後の断面図である。
【図６】同上の他の照明装置における斜視図である。
【図７】同上の絶縁カバーであって、（ａ）は下カバー組立後の断面図、（ｂ）は上カバー組立後の断面図である。
【符号の説明】
【００３５】
１  照明器具
２  器具本体
６  照明装置
６０  安定器
６００  回路基板
６０１  実装部品
６１  絶縁カバー
６１ａ  底面部
６１ｂ  上面部
６１ｃ，６１ｄ  側面部
６１ｅ，６１ｆ  補助部
６１ｇ  重ね代
６１０ａ，６１０ｂ，６１１  切り起こし部
【図１】
2005183322.tif 000003
【図２】
2005183322.tif 000004
【図３】
2005183322.tif 000005
【図４】
2005183322.tif 000006
【図５】
2005183322.tif 000007
【図６】
2005183322.tif 000008
【図７】
2005183322.tif 000009